【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
通信装置であって、
第一の無線通信によるネットワークを介して外部装置と通信する第一の通信手段と、
前記第一の無線通信とは異なる第二の無線通信を介して前記外部装置と通信する第二の通信手段と、
前記第一の通信手段により前記外部装置と通信する指示をユーザから受け付ける受け付け手段と、
前記第一の通信手段による前記外部装置との通信を制御する制御手段とを有し、
所定のユーザ操作によって前記受け付け手段が前記指示を受け付けたことに応じて前記第一の無線通信を介して前記外部装置と通信する場合、前記制御手段は、接続の度に異なる識別子を用いて前記外部装置と通信するよう前記第一の通信手段を制御し、
前記第二の通信手段により前記外部装置と通信したことに応じて前記第一の無線通信を介して前記外部装置と通信する場合、前記制御手段は、接続の度に所定の識別子を用いて前記外部装置と通信するよう前記第一の通信手段を制御することを特徴とする通信装置。
【請求項２】
所定のユーザ操作によって前記受け付け手段が前記指示を受け付けたことに応じて前記第一の無線通信を介して前記外部装置と通信する場合、前記制御手段は、接続の度に異な識別子を生成し、
前記第二の通信手段により前記外部装置と通信したことに応じて前記第一の無線通信を介して前記外部装置と通信する場合、前記制御手段は、接続の度に所定の識別子を記録領域から読み出すことを特徴とする請求項１に記載の通信装置。
【請求項３】
所定のユーザ操作によって前記受け付け手段が前記指示を受け付けたことに応じて前記第一の無線通信を介して前記外部装置と通信する場合、前記制御手段は、接続の度に異なる識別子を用いて前記ネットワークを生成するよう前記第一の通信手段を制御し、
前記第二の通信手段により前記外部装置と通信したことに応じて前記第一の無線通信を介して前記外部装置と通信する場合、前記制御手段は、接続の度に所定の識別子を用いて前記ネットワークを生成するよう記第一の通信手段を制御することを特徴とする請求項１または２に記載の通信装置。
【請求項４】
所定のユーザ操作によって前記受け付け手段が前記指示を受け付けたことに応じて前記第一の無線通信を介して前記外部装置と通信する場合、前記制御手段は、接続の度に異なる識別子と接続の度に異なるパスワードを用いて前記ネットワークを生成するよう前記第一の通信手段を制御し、
前記第二の通信手段により前記外部装置と通信したことに応じて前記第一の無線通信を介して前記外部装置と通信する場合、前記制御手段は、接続の度に所定の識別子と接続の度に異なるパスワードを用いて前記ネットワークを生成するよう記第一の通信手段を制御することを特徴とする請求項１乃至３のいずれか１項に記載の通信装置。
【請求項５】
前記接続の度に異なる識別子は、共通する文字列を含むことを特徴とする請求項１乃至４のいずれか１項に記載の通信装置。
【請求項６】
所定のユーザ操作によって前記受け付け手段が前記指示を受け付けたことに応じて前記第一の無線通信を介して前記外部装置と通信する場合に用いられる識別子と、前記第二の通信手段により前記外部装置と通信したことに応じて前記第一の無線通信を介して前記外部装置と通信する場合に用いられる識別子とは、共通する文字列を含むことを特徴とする請求項５に記載の通信装置。
【請求項７】
前記共通する文字列は、ＭＡＣアドレスまたは前記通信装置のＵＵＩＤに基づき決定されることを特徴とする請求項６に記載の通信装置。
【請求項８】
前記識別子に含まれる文字列は、ＭＡＣアドレスまたは前記通信装置のＵＵＩＤに基づき決定されることを特徴とする請求項１乃至７のいずれか１項に記載の通信装置。
【請求項９】
前記識別子は前記第一の無線通信によるネットワークを区別するための識別子を含むことを特徴とする請求項１乃至８のいずれか１項に記載の通信装置。
【請求項１０】
前記第一の無線通信の接続履歴を記録媒体に記録する記録手段を更に有し、
前記所定のユーザ操作とは異なるユーザ操作によって前記履歴を用いて前記第一の無線通信を介して外部装置と通信する指示を受け付けた場合、前記制御手段は履歴に保持されている前記ネットワーク識別子を用いて前期外部装置と通信するよう制御することを特徴とする請求項１乃至９のいずれか１項に記載の通信装置。
【請求項１１】
撮像手段を更に有し、
前記第一の通信手段は、前記撮像手段により生成された画像データを前記外部装置に送信し、前記第二の通信手段は、前記撮像手段により生成された画像データを前記外部装置に送信しないことを特徴とする請求項１乃至１０のいずれか１項に記載の通信装置。
【請求項１２】
前記画像データの送信が完了したならば、前記第一の無線通信を切断することを特徴とする請求項１１に記載の通信装置。
【請求項１３】
前記第一の無線通信は、第二の無線通信よりも通信距離が長いことを特徴とする請求項１乃至１２のいずれか１項に記載の通信装置。
【請求項１４】
前記第一の無線通信は無線ＬＡＮであり、第二の無線通信はＮＦＣであることを特徴とする請求項１乃至１３のいずれか１項に記載の通信装置。
【請求項１５】
前記第二の通信手段は、前記第二の無線通信を介して、前記識別子を前記外部装置と共有することを特徴とする請求項１乃至１４のいずれか１項に記載の通信装置。
【請求項１６】
前記第二の無線通信手段はＮＦＣタグを含み、
前記識別子が前記第二の無線通信を介して前記外部装置と共有された後、かつ共有された前記識別子を用いた前記第一の無線通信を介した通信を確立する前に、前記制御手段は、新たな識別子を生成して前記ＮＦＣタグの記録領域に書きこむよう制御することを特徴とする請求項１乃至１５のいずれか１項に記載の通信装置。
【請求項１７】
前記第一の通信手段は、前記識別子を用いたビーコンをブロードキャストすることで、前記第一の無線通信を利用したネットワークを生成することを特徴とする請求項１乃至１６のいずれか１項に記載の通信装置。
【請求項１８】
前記外部装置との前記第一の無線通信が確立している状態で、前記外部装置との前記第二の無線通信が切断した場合、前記外部装置との前記第一の無線通信を維持することを特徴とする請求項１乃至１７のいずれか１項に記載の通信装置。
【請求項１９】
第一の無線通信によるネットワークを介して外部装置と通信する第一の通信手段と、前記第一の無線通信とは異なる第二の無線通信を介して前記外部装置と通信する第二の通信手段とを有する通信装置の制御方法であって、
前記第一の通信手段により前記外部装置と通信する指示をユーザから受け付ける受け付けステップと、
前記第一の通信手段による前記外部装置との通信を制御する制御ステップと、
前記受け付けステップにて、所定のユーザ操作によって前記指示を受け付けたことに応じて前記第一の無線通信を介して前記外部装置と通信する場合、前記制御ステップでは、接続の度に異なる識別子を用いて前記外部装置と通信するよう前記第一の通信手段を制御し、
前記第二の通信手段により前記外部装置と通信したことに応じて前記第一の無線通信を介して前記外部装置と通信する場合、前記制御ステップでは、接続の度に所定の識別子を用いて前記外部装置と通信するよう前記第一の通信手段を制御することを特徴とする通信装置の制御方法。
【請求項２０】
コンピュータを、請求項１乃至１８に記載の通信装置の各手段として機能させるための、コンピュータが読み取り可能なプログラム。
【手続補正２】
【補正対象書類名】明細書
【補正対象項目名】０００７
【補正方法】変更
【補正の内容】
【０００７】
上記目的を達成するため、本発明の通信装置は、第一の無線通信によるネットワークを介して外部装置と通信する第一の通信手段と、前記第一の無線通信とは異なる第二の無線通信を介して前記外部装置と通信する第二の通信手段と、前記第一の通信手段により前記外部装置と通信する指示をユーザから受け付ける受け付け手段と、前記第一の通信手段による前記外部装置との通信を制御する制御手段とを有し、所定のユーザ操作によって前記受け付け手段が前記指示を受け付けたことに応じて前記第一の無線通信を介して前記外部装置と通信する場合、前記制御手段は、接続の度に異なる識別子を用いて前記外部装置と通信するよう前記第一の通信手段を制御し、前記第二の通信手段により前記外部装置と通信したことに応じて前記第一の無線通信を介して前記外部装置と通信する場合、前記制御手段は、接続の度に所定の識別子を用いて前記外部装置と通信するよう前記第一の通信手段を制御することを特徴とする。